(57)【要約】【課題】  サイズが小さな原稿であっても、排紙トレイに排紙された原稿の取扱性及び視認性を向上させる手段を提供する。【解決手段】  原稿トレイ２に載置された原稿が、装置本体１０１に設けられた操作部３から入力された指示に従って、搬送路４に送り込まれて、その画像が読み取られ、原稿トレイ２の下方に設けられた排紙トレイ３に排紙される画像読取装置１００において、前記原稿トレイ２が、載置される原稿を搬送路４に送り込ませる閉位置と、排紙トレイ３の上方を開放する開位置との間を、奥側にて原稿の搬送路４への送り込み方向に略沿って延びる軸線Ｃ回りに回動可能に設けられている。【選択図】  図１
2006273535.tif 000002
【特許請求の範囲】
【請求項１】
原稿トレイに載置された原稿が、装置本体に設けられた操作部から入力された指示に従って、搬送路に送り込まれて、その画像が読み取られ、前記原稿トレイの下方に設けられた排紙トレイに排紙される画像読取装置において、
前記原稿トレイが、載置される原稿を前記搬送路に送り込ませる閉位置と、前記排紙トレイの上方を開放する開位置との間を、装置本体の奥側にて原稿の前記搬送路への送り込み方向に略沿って延びる軸線回りに回動可能に設けられていることを特徴とする画像読取装置。
【請求項２】
前記原稿トレイを閉位置に保持する機構と、該原稿トレイを開位置に保持する機構と、を備えることを特徴とする請求項１記載の画像読取装置。
【請求項３】
前記原稿トレイが前記原稿の搬送路への送り込み方向に略沿って複数並設されていることを特徴とする請求項１又は２記載の画像読取装置。
【発明の詳細な説明】
【技術分野】
【０００１】
本発明は、スキャナ機、ファクシミリ機、コピー機及びこれらの複合機等において、原稿トレイに載置された原稿が、その画像を読み取られて排紙トレイに排紙される画像読取装置に関する。
【背景技術】
【０００２】
スキャナ機、ファクシミリ機、コピー機及びこれらの複合機等の画像読取装置においては、装置本体の上面に対して開閉自在な原稿押えカバーに複数枚の原稿を順次給紙するオート・ドキュメント・フィーダー（以下、「ＡＤＦ」という。）等の自動原稿搬送機構を装備するとともに、装置本体にフラット・ベッド・スキャナ（以下、「ＦＢＳ」という。）を備えるものがある。該画像読取装置によれば、原稿トレイに載置された複数枚の原稿を連続的且つ自動的に読取位置へ搬送して画像を読み取り、排紙トレイに排紙することができる。例えば、図６に示す従来のコピー・ファクシミリ複合機９００は、図に示すように、ＦＢＳとして機能する機台本体９０１と、該機台本体９０１に開閉自在に枢着されＡＤＦを装備した原稿押えカバー９０２と、原稿の読み取り開始等を入力するための入力キーや液晶パネル等（不図示）が配設された操作パネル９０３とを具備してなり、前記装置本体９０１には、記録用紙に画像を記録する画像記録部や画像を電送するための送信部、読み取った画像を記録するための記録用紙を供給する給紙カセット等が備えられている。
【０００３】
前記コピー・ファクシミリ複合機９００において、原稿押えカバー９０２に装備されたＡＤＦにて原稿を読み取るときには、図７に示すように、ＡＤＦが原稿トレイ９０４上の原稿を原稿トレイ９０４の下方に設けられた排紙トレイ９０５へ上方から下方へＵターンするように形成された搬送路９０６を搬送し、読取位置Ｐ１において表面読取ユニット９０７が原稿の表面の画像を読み取り、読取位置Ｐ２において裏面読取ユニット９０８が原稿の裏面の画像を読み取り、排紙トレイ９０５に画像を読み終った原稿を排出する。なお、前記コピー・ファクシミリ複合機９００をＦＢＳとして用いて原稿を読み取るときには、手前側から奥行き方向へ上げることにより原稿押えカバー９０２を開いて装置本体９０２のプラテンガラス９０９上に文書等の原稿を載置して原稿押えカバー９０２を閉じ、該原稿を走査して画像を読み取る。
【０００４】
前記コピー・ファクシミリ複合機９００では、図６及び図７に示すように、読み取るべき原稿を載置する原稿トレイ９０４の下方に隙間Ｓを隔てて、画像読み取り後の原稿が排紙される排紙トレイ９０５が配置されている。そして、原稿トレイ９０４を搬送路９０６への供給口９１０近傍にて奥向き方向に延びる軸線Ｃ１回りに前記原稿押えカバー９０２に対して回動可能に設け、排紙された原稿を取り出す際には、原稿トレイ９０４の給紙口９１０から離れた端部を上に持ち上げ、各図に２点鎖線にて示すように、原稿トレイ９０４を開くことによって、排紙トレイ９０５に排紙された原稿を取り出し易くしている（例えば特許文献１参照）。
【０００５】
【特許文献１】特開平１０−３１０２６３号公報
【発明の開示】
【発明が解決しようとする課題】
【０００６】
しかしながら、前記従来のコピー・ファクシミリ複合機９００では、機台の小型化のために、原稿トレイ９０４と排紙トレイ９０５との間の隙間Ｓが狭い。また、排紙された原稿の先端が装置からはみ出し排紙トレイ９０５から脱落しないよう、図７に示すように、給紙口９１０が排紙口９１１より迫り出すように形成されているので、排紙口９１１が奥まった位置となり、さらに、排紙トレイ９０５の排紙口９１１近傍の上方に原稿トレイ９０４の回動中心Ｃ１が設けられている。そのため、原稿トレイ９０４を開けても、当該原稿トレイ９０４は当該回動中心Ｃ１を中心に回動するので、特にハガキ等の小さなサイズの原稿が排紙トレイ９０５に排紙された場合、原稿トレイ９０４が邪魔となって原稿を取り出し難く、原稿の取扱性に劣るという問題がある。また、このような場合、開いた原稿トレイ９０４が原稿への視界の妨げとなり、原稿の視認性が劣るため、小さなサイズの原稿を使用者が取り忘れる恐れがある問題がある。
【０００７】
本発明は、前記問題に鑑みてなされたものであり、サイズが小さな原稿であっても、排紙トレイに排紙された原稿の取扱性及び視認性を向上させる手段を提供することを目的とする。
【課題を解決するための手段】
【０００８】
上記目的を達成するために、請求項１に記載の画像読取装置は、原稿トレイに載置された原稿が、装置本体に設けられた操作部から入力された指示に従って、搬送路に送り込まれて、その画像が読み取られ、前記原稿トレイの下方に設けられた排紙トレイに排紙される画像読取装置において、前記原稿トレイが、載置される原稿を前記搬送路に送り込ませる閉位置と、前記排紙トレイの上方を開放する開位置との間を、奥側にて原稿の前記搬送路への送り込み方向に略沿って延びる軸線回りに回動可能に設けられていることを特徴としている。
【０００９】
請求項２に記載の画像読取装置は、請求項１記載の画像読取装置において、前記原稿トレイを閉位置に保持する機構と、該原稿トレイを開位置に保持する機構と、を備えることを特徴としている。
【００１０】
請求項３に記載の画像読取装置は、請求項１又は請求項２に記載の画像読取装置において、前記原稿トレイが前記原稿の搬送路への送り込み方向に略沿って複数並設されていることを特徴としている。
【発明の効果】
【００１１】
請求項１に記載の画像読取装置によれば、原稿トレイが、奥側にて原稿の搬送路への送り込み方向に略沿って延びる軸線回りに回動可能に設けられ、開位置において排紙トレイの上方を開放するので、原稿トレイによって覆われた排紙トレイの上方を全て開放することが可能となる。このため、前記従来の奥向き方向に延びる軸線回りに原稿トレイが回動する画像読取装置に比べて、特にハガキ等の小さなサイズの原稿が排紙トレイに排紙された場合、操作部側の使用者が当該原稿を容易に取り出すことができるので、排紙トレイに排紙された原稿の取扱性が向上する。また、このような場合、排紙トレイに排紙された原稿の操作部側からの視認性が向上するので、使用者が原稿を取り忘れる恐れを解消することできる。
【００１２】
請求項２に記載の画像読取装置によれば、原稿トレイを閉位置に保持する機構を備えるので、原稿トレイに載置される原稿を搬送路に確実に送り込ませることができる。また、原稿トレイを開位置に保持する機構を備えるので、排紙トレイに排紙された原稿を取り出す場合に、開けた原稿トレイを使用者が手で保持する必要がなく、作業性が向上する。また、原稿トレイが開位置に保持されることにより、排紙トレイに排紙された原稿の視認性が向上する。
【００１３】
請求項３に記載の画像読取装置によれば、原稿トレイが原稿の搬送路への送り込み方向に略沿って複数並設されているので、原稿トレイに載置される原稿のサイズによって、各原稿トレイを開位置又は閉位置に適宜位置せしめることにより、排紙トレイに排紙された原稿の取扱性や視認性が向上する。
【発明を実施するための最良の形態】
【００１４】
本発明の実施の形態に係る画像読取装置であるコピー・ファクシミリ複合機１００は、図１に示すように、フラット・ベッド・スキャナ（以下、「ＦＢＳ」という。）として機能する機台本体（装置本体）１０１と、該機台本体１０１に開閉自在に枢着された原稿押えカバー１０２と、機台本体１０１の手前側に設けられ、原稿の読み取り開始等を入力するための入力キーや液晶パネル等（不図示）が配設された操作パネル（操作部）１０３とを具備してなる。なお、機台本体１０１は、図示しないが、その内部に、記録用紙に画像を記録する画像記録部、画像を電送するための送信部、及び読み取った画像を記録するための記録用紙を供給する給紙カセット等の周知の構成をも具備しており、また、これら周知の構成は一例且つ任意のものである。本コピー・ファクシミリ複合機１００では、図２に示すように、原稿押えカバー１０２内に装備されたＡＤＦ１により、原稿トレイ２上の原稿が原稿トレイ（原稿ホッパ）２の下方に設けられた排紙トレイ３へ上方から下方へＵターンするように形成された搬送路４を搬送され、その搬送過程において画像読み取りが行われるようになっている。
【００１５】
前記機台本体１０１には、図２に示すように、略直方体の筐体１０の天面にプラテンガラス１１が配設され、該筐体１０内には、ＣＣＤ読取ユニット１２が内蔵されている。該ＣＣＤ読取ユニット１２は、図に示すように、主走査方向（奥行き方向）に延びるライン状の読取位置Ｐ１へ光を照射する光源１４と、原稿からの反射光Ｒを所定の方向へ導くための反射ミラー１５と、反射光Ｒを収束する集光レンズ１６と、該収束光を電気信号に変換して出力するＣＣＤイメージセンサ１７とを備えてなる所謂縮小光学系の読取ユニットである。このように構成されたＣＣＤ読取ユニット１２は、ＦＢＳとして機能する際には、プラテンガラス１１に対して水平に移動して該プラテンガラス１１上の原稿を副走査方向（図中左右方向）に走査し、ＡＤＦ１を用いる場合には、読取位置Ｐ１へ移動して搬送路４を搬送されている原稿の画像を副走査方向に走査し、それぞれの原稿からの反射光ＲをＣＣＤ１７へ導いて結像し、主走査方向のライン毎に画像を読み取っている。
【００１６】
前記原稿押えカバー１０２は、図３に示すように、奥側端部近傍にて原稿の搬送路４への送り込み方向に略沿って延びる軸線Ｃ０回りに、即ち図２に示したプラテンガラス１１より奥側にて当該プラテンガラス１１の奥側端辺に沿って延びる軸線Ｃ０回りに回動可能なように、図示しないヒンジにより機台本体１０１に対して開閉可能に軸支されて設けられている。
【００１７】
前記ＡＤＦ１は、図２に示すように、前記原稿押えカバー１０２内に配設されて読取位置Ｐ１，Ｐ２へ原稿を連続的に搬送するようになっており、原稿が載置される原稿トレイ２と、該原稿トレイ２の下方に隙間Ｓを隔てて配設された排紙トレイ３と、搬送路４の給紙口４１近傍に配設されて、原稿トレイ２から排紙トレイ３へ横向きＵ字状に形成された搬送路４と、繰り込まれた原稿を厚み方向に挟み込んで分離する給紙ローラ５及び分離パッド６と、搬送路４に適宜配設されて、原稿をニップして搬送する搬送ローラ７と、搬送路の折返し部の直下流の搬送路外側に配設されて、搬送されている原稿表面の画像を主走査方向のライン毎に読み取る前記ＣＣＤ読取ユニット１０と、該ＣＣＤ読取ユニット１０より下流側の搬送路４内側に配設されて、読取位置Ｐ２において搬送されている原稿裏面の画像を主走査方向のライン毎に読み取るＣＩＳ読取ユニット８と、搬送路４の排紙口４２近傍に配設されて、読み取り後の原稿をニップして排紙トレイ３へ排出する排紙ローラ９と、を具備してなる。
【００１８】
このようなＡＤＦ１によって原稿トレイ２から搬送路４へ繰り込まれた原稿は、横向きＵ字状の搬送路４に沿って上方から下方へＵターンするように反転して読取位置Ｐ１に至り、該読取位置Ｐ１を通過する際に前記ＣＣＤ読取ユニット１０により原稿表面の画像が読み取られ、さらに搬送路４を搬送されて読取位置Ｐ２に至り、該読取位置Ｐ２を通過する際にＣＩＳ読取ユニット８により原稿裏面の画像が読み取られた後、原稿トレイ２の下方の排紙トレイ３へ排出されるので、１回の通紙、所謂１パスで原稿の両面の画像読み取りができるようになっている。
【００１９】
前記原稿トレイ２は、原稿押えカバー１０２に、原稿を供給する方向へ若干下方にその上面を傾斜させて設けられており、その上面において読み取り前の複数枚の原稿を積重状態で担持するようになっている。使用者が原稿トレイ２上に原稿を載置する場合には、原稿トレイ２の傾斜下端側に原稿の先端を搬送路４への給紙口４１に挿入するようにして載置する。なお、原稿トレイ２には、図１に示すように、原稿の幅方向に移動可能なガイド２１が設けられ、原稿トレイ２に載置された原稿の幅方向の位置を規制して原稿の斜め送りを防止するようになっている。
【００２０】
前記排紙トレイ３は、図２に示すように、排出ローラ９を経て搬送路４の排紙口４２から排紙された原稿が順次その上面に堆積されるものであり、原稿押えカバー１０２のハウジングの下部を構成するカバー本体１０２ａの上面に一体的に形成されている。排紙トレイ３の上面は、排紙口４２側においては当該排紙口４２より下方に略水平に形成され、これより連続して原稿が排紙される方向に向けて上方へ傾斜するように形成されている。
【００２１】
前記搬送路４は、上下二段に配置された原稿トレイ２と排紙トレイ３とを繋ぐように横向きＵ字状に形成されており、その折返し部分の直下流で読取位置Ｐ１となるプラテンガラス１８上を通過し、該読取位置Ｐ１の下流側の読取位置Ｐ２を通過して排紙トレイ３へ連通している。搬送路４の原稿トレイ２側端部には当該搬送路４へ原稿を送り込むための給紙口４１が、搬送路４の排紙トレイ３側端部には当該搬送路４から原稿を排紙するための排紙口４２がそれぞれ設けられている。
【００２２】
搬送路４の給紙口４１近傍には、ピックアップローラ５０、給紙ローラ５及び分離パッド６が設けられている。原稿トレイ２上の原稿を圧接しながら回転するピックアップローラ５０が原稿トレイ２から原稿を繰り込み、該繰り込まれた原稿と圧接しながら回転する給紙ローラ５が該原稿を搬送路４へ送り込むとともに、重送された原稿が圧接される分離パッド６により分離されるものである。このように、原稿トレイ２に載置された原稿が１枚ずつ分離されて給紙口４１から搬送路４に順次送り込まれる。また、搬送路４に送り込まれた原稿は、搬送ローラ７にニップされて読取位置Ｐ１，Ｐ２へ搬送される。
【００２３】
搬送路４の排紙口４２近傍には、一対の排紙ローラ９が設けられている。排紙ローラ９は、シリコン製やＥＰＤＭ製のローラが固定された金属製のローラ軸が軸支されて、互いに圧接して対向しており、画像読み取りを終えた原稿を搬送路４から排紙トレイ３へ排出するようになっている。
【００２４】
次に、前記原稿トレイ２を原稿押えカバー１０２に設ける構成について説明する。原稿トレイ２は、図１に示すように、その奥側（手前側に位置する操作パネル１０３から離れた側）にて原稿の搬送路４への送り込み方向（奥行き方向に直交する方向）に略沿って延びる軸線Ｃ回りに回動可能であり、原稿押えカバー１０２に開閉可能に設けられている。原稿トレイ２の奥側の下面の隅部には、前記軸線Ｃに沿う孔が設けられ離間する２つの突出部２２が下方に突出して一体的に形成されている。一方、排紙トレイ３の奥側の上面には、前記軸線Ｃに沿って互いに対向する円柱状の突起を備え離間する２つの突出部３１が上方に突出して設けられている。原稿トレイ２は、可撓性を有する樹脂成形品からなり、原稿トレイ２を撓ませることにより突出部２２の孔に突出部３１の突起がそれぞれ挿入される。このようにして、原稿トレイ２の突出部３１が排紙トレイ３の突出部３１に対して回動自在となり、原稿トレイ２が排紙トレイ３に対して軸線Ｃ回りに回動可能となっている。
【００２５】
このように、原稿トレイ２を奥側にて原稿の搬送路４への送り込み方向に略沿って延びる軸線Ｃ回りに回動可能なように原稿押えカバー１０２に設けたので、原稿トレイ２の手前側（操作パネル１０３側）の端部を上方に持ち上げ、原稿トレイ２を開いた場合には、排紙トレイ３の原稿トレイ２に覆われていた上方が全て開放される。このため、前記従来の図５に示した画像形成装置９００とは異なり、ハガキ等の小さなサイズの原稿が排紙トレイ３に排紙された場合であっても、開いた原稿トレイ２が取り出し作業の邪魔にならず、原稿を容易に取り出すことができ、原稿の取扱性が向上する。また、操作パネル１０３側に位置してコピー・ファクシミリ複合機１００を使用する使用者にとって、開いた原稿トレイ２が排紙トレイ３に排紙された原稿への視界の妨げにならず、原稿の視認性が向上するため、小さなサイズの原稿を使用者が取り忘れる恐れを解消することができる。さらに、このような効果があるため、前記従来のコピー・ファクシミリ複合機９００に比べて原稿トレイ２と排紙トレイ３との上下方向の隙間Ｓを狭くできるので、機台を小型化することが可能になる。
【００２６】
このような原稿トレイ２は、載置される原稿を前記搬送路４に送り込ませる閉位置と、排紙トレイ３の上方を開放する開位置との間を回動可能なように設けられている。閉位置における原稿トレイ２は、図１に実線にて示すように、排紙トレイ３の上方を覆うように位置している。そして、この閉位置に原稿トレイ２を保持する機構として、この閉位置における原稿トレイ２の下面に係止して当該原稿トレイ２を支持する支持片２３を原稿押えカバー１０２の搬送路４への給紙口４１の下方から突出させて設けている。このように、原稿トレイ２を閉位置に安定的に保持する機構を備えているので、この閉位置に安定的に保持された原稿トレイ２に原稿を載置することにより、当該原稿を搬送路４に送り込むために適した位置に確実に位置せしめることができる。
【００２７】
一方、開位置における原稿トレイ２は、図１に２点鎖線にて示すように、奥側にて略垂直に立ち上がり、排紙トレイ３の上方に開放している。そして、この開位置に原稿トレイ２を保持する機構として、原稿トレイ２の給紙口４１側の反対側の隅部に設けた前記突出部２２の奥側の側面２４が平らに形成されており、当該側面２４が排紙トレイ３の略水平な上面に当接することにより、原稿トレイ２を開位置で安定して保持することができる。また、原稿押えカバー１０２には、原稿トレイ２より奥側に略垂直な側壁２５が形成されており、当該側壁２５に原稿トレイ２の上面が当接することにより、原稿トレイ２を開位置で安定して保持することができる。このように、原稿トレイ２を開位置に安定的に保持する機構を備えているので、排紙トレイ３に排紙された原稿を取り出す場合に、原稿トレイ２を使用者が手で保持する等の必要がなく、原稿の取り出し作業をより容易に行うことができる。また、原稿トレイ２を開位置に保持することによって、排紙トレイ３に排紙された原稿の視認性が向上する。なお、原稿トレイ２を保持する機能については、前記構成に限定されることなく、他の機械的又は電磁気的構成を用いてもよい。例えば、図示しないが、原稿トレイ２の適切な位置にマグネットを埋設し、原稿トレイ２が閉位置と開位置に位置するときに、当該マグネットとそれぞれ近接する部位の原稿押えカバー１０２に鉄片等を埋設するものであってもよい。
【００２８】
また、原稿押えカバー１０２が開いている場合、原稿トレイ２が開かないようにしてもよい。例えば、図示しないが、原稿押えカバー１０２が前記機台本体１０１の上面に接触しているか否かに基づき原稿押えカバー１０２の開閉状態を検出する開閉センサを機台本体１０１の上面に設け、当該開閉センサが原稿押えカバー１０２が開いている状態を検出して出力した検出信号に応じて、制御部が機械的構成又は電磁気的構成からなるロック機構により原稿トレイ２が開かないように制御すればよい。また、前記機台本体１０１がＦＢＳとして機能する場合、原稿トレイ２が開かないようにしてもよい。例えば、図示しないが、機台本体１０１がＦＢＳとして機能することを示す信号に応じて、制御部が前記ロック機構により原稿トレイ２が開かないように制御すればよい。このように、原稿押えカバー１０２が開いている場合や機台本体１０１がＦＢＳとして機能する場合、即ち排紙トレイ３から原稿を取り出す作業を行うことが想定されない場合、原稿トレイ２が開かないようにするので、原稿トレイ２が不意に開き、使用者の邪魔になること等を防止することができる。また、逆に、原稿トレイ２が開いている場合、原稿押えカバー１０２が開かないようにしたり、機台本体１０１がＦＢＳとして機能しないようにしてもよい。これにより、使用者等がコピー・ファクシミリ複合機１００をより適切に使用することができる。
【００２９】
次に、本実施の形態の変形に係るコピー・ファクシミリ複合機１１０について説明する。このコピー・ファクシミリ複合機１１０は、図４に示すように、原稿の搬送路４への送り込み方向に略沿って２つの原稿トレイ２Ａ，２Ｂが並設されている。以下、前記コピー・ファクシミリ複合機１００と同じ構成部品には同じ符号を用いて説明する。原稿トレイ２Ａ，２Ｂは共に、奥側にて原稿の搬送路４への送り込み方向に略沿って延びる軸線Ｃ回りに回動可能であり、原稿押えカバー１１２に開閉可能に設けられている。原稿トレイ２Ａは搬送路４の給紙口４１側に、原稿トレイ２Ｂは給紙口４１から離れた側に、互いに微小な隙間を隔てて並設されている。原稿トレイ２Ａ，２Ｂの突出部２２Ａ，２２Ｂの孔に、突起部３１Ａ，３１Ｂ，３１ＡＢの突起がそれぞれ挿入されることにより、原稿トレイ２Ａ，２Ｂが排紙トレイ３に対してそれぞれ軸線Ｃ回りに回動可能となっている。また、原稿トレイ２Ａ，２Ｂには、互いに独立して移動可能なガイド２１Ａ，２１Ｂがそれぞれ設けられている。なお、このコピー・ファクシミリ複合機１１０においては、原稿トレイ２Ａが開いている場合、原稿押えカバー１１２が開かないようにしたり、機台本体１０１がＦＢＳとして機能しないようにし、原稿トレイ２Ｂが開いている場合には、原稿押えカバー１１２を開くことができたり、機台本体１０１がＦＢＳとして機能するようにすればよい。また、図５に示すように、ハガキ等の小さなサイズの原稿を載置可能な上面を備えた原稿トレイ２Ｃと、該原稿トレイ２Ｃの上面をＬ字状に囲む上面を備えた原稿トレイ２Ｄが、原稿の搬送路４への送り込み方向に略沿って並設されていてもよい。また、原稿の搬送路４への送り込み方向に略沿って並設される原稿トレイ２Ａ，２Ｂは、同じ軸線Ｃ回りに回動可能に設けることに限定されず、奥側にて原稿の搬送路４への送り込み方向に略沿って延びる異なる軸線回りにそれぞれ回動可能に設けてもよい。
【００３０】
このように、原稿トレイ２Ａ，２Ｂを並設することにより、例えば、ハガキ等の小さなサイズの原稿を載置する場合には、原稿トレイ２Ａを閉位置に原稿トレイ２Ｂを開位置にすることにより、原稿を十分に安定的に載置することができ、かつ、原稿トレイ２Ａを開けなくとも、排紙トレイ３から原稿を容易に取り出すことができ、原稿の取扱性が向上する。
【００３１】
なお、本実施の形態で示したコピー・ファクシミリ複合機１００，１１０の構成は、本発明に係る画像読取装置の一態様にすぎず、本発明の要旨を逸脱しない範囲内で適宜設計変更できることは勿論であり、例えば、コピー機やファクシミリ機、スキャナ機等の単独機としても実現可能である。
【図面の簡単な説明】
【００３２】
【図１】本発明の実施の形態に係るコピー・ファクシミリ複合機１００の上部の外観を示す概略斜視図である。
【図２】コピー・ファクシミリ複合機１００の上部の構成を示す模式断面図である。
【図３】コピー・ファクシミリ複合機１００の上部の外観を示す概略斜視図であり、２点鎖線にて原稿押えカバーが開いた状態を示す。
【図４】本発明の実施の形態の変形に係るコピー・ファクシミリ複合機１１０の上部の外観を示す概略斜視図である。
【図５】コピー・ファクシミリ複合機１１０の別形態に係る上部の外観を示す概略斜視図である。
【図６】従来のコピー・ファクシミリ複合機９００の上部の外観を示す概略斜視図である。
【図７】コピー・ファクシミリ複合機９００の上部の構成を示す模式断面図である。
【符号の説明】
【００３３】
２、２Ａ、２Ｂ、２Ｃ、２Ｄ  原稿トレイ
３  排紙トレイ
４  搬送路
１００  コピー・ファクシミリ複合機（画像読取装置）
１０１  機台本体（装置本体）
１０２  原稿押えカバー
１０３  操作パネル（操作部）
１１０  コピー・ファクシミリ複合機（画像読取装置）
１１２  原稿押えカバー
Ｃ  軸線
【図１】
2006273535.tif 000003
【図２】
2006273535.tif 000004
【図３】
2006273535.tif 000005
【図４】
2006273535.tif 000006
【図５】
2006273535.tif 000007
【図６】
2006273535.tif 000008
【図７】
2006273535.tif 000009